(57)【要約】      （修正有）【課題】一部分も隠すことなく、貼付物全体を見せることができ、また、脱落のおそれもなく、しかも、貼付物を非破壊で固定することができるクリップボードを提供する。【解決手段】クリップボード１−１は、第１の誘電体シート２と吸着電極３Ａ，３Ｂと第２の誘電体シート４とを備える。クリップボード１−１の裏面側には、マグネットシート５が取り付けられ、表面側には、第２の誘電体シート４とハードコート層４０とによって、ホワイトボード部６が形成されている。また、吸着電極３Ａ，３Ｂは、第１の誘電体シート２の表面２上に、横並びに配され、第２の誘電体シート４が吸着電極３Ａ，３Ｂを覆った状態で、第１の誘電体シート２の表面２ａ上に貼り付けられている。そして、吸着電極３Ａ，３Ｂには電源３０が接続されている。【選択図】図１
0003212495.tif 000002
【実用新案登録請求の範囲】
【請求項１】
第１の誘電体シートと、
上記第１の誘電体シートの表面に形成された１対の吸着電極と、
上記１対の吸着電極を覆った状態で、上記第１の誘電体シートの表面に貼り付けられた第２の誘電体シートと
を備え、
上記１対の吸着電極に所定の直流電圧を印加することで、静電気を上記第２の誘電体シートの表面に誘起可能である、
ことを特徴とするクリップボード。
【請求項２】
請求項１に記載のクリップボードにおいて、
上記第１の誘電体シートの裏面の少なくとも一部に、マグネットを取り付けた、
ことを特徴とするクリップボード。
【請求項３】
請求項１又は請求項２に記載のクリップボードにおいて、
上記第２の誘電体シートをマーカで書き込み可能なプラスチックフィルムで形成すると共に、その表面をハードコーティングすることにより、ホワイトボード部を形成した、
ことを特徴とするクリップボード。
【請求項４】
請求項１又は請求項２に記載のクリップボードにおいて、
上記第２の誘電体シートの表面に、チョークで書き込み可能な黒板塗料を塗布することにより、黒板部を形成した、
ことを特徴とするクリップボード。
【請求項５】
請求項１又は請求項２に記載のクリップボードにおいて、
上記第２の誘電体シートの表面に、チョークで書き込み可能な微細な凹凸を多数形成することにより、黒板部を形成した、
ことを特徴とするクリップボード。
【請求項６】
請求項５に記載のクリップボードにおいて、
マイクロファイバによって形成した黒板消しを設けた、
ことを特徴とするクリップボード。
【考案の詳細な説明】
【技術分野】
【０００１】
この考案は、メモ用紙，写真，レシート及びレシピ用紙等を貼り付けることができるクリップボードに関するものである。
【背景技術】
【０００２】
キッチン等においては、メモ用紙，レシート及びレシピ等を記載した用紙を、画鋲によって木製板上に刺して固定したり、マグネットによって金属板上に固定することが一般的である。料理人等のユーザは、かかる状態で、これらの用紙を見ながら料理等の作業をする。
具体的には、画鋲を、レシピ用紙等の用紙の上に刺して、用紙をキッチンの壁に固定し、あるいは、マグネットを、冷蔵庫のドアに当てた用紙上に接触させ、その磁力の吸着力によって、用紙をマグネットと冷蔵庫ドアとで挟んでドア上に固定する。
このような用紙を固定する画鋲やマグネットとして、例えば、特許文献１及び特許文献２に記載の技術がある。
【先行技術文献】
【特許文献】
【０００３】
【特許文献１】特開２００５−７８０６１号公報
【特許文献２】特開２００２−２２８３４２号公報
【考案の概要】
【考案が解決しようとする課題】
【０００４】
しかし、上記した用紙固定方法では、次のような問題があった。
まず、上記した従来の固定方法では、画鋲やマグネットを用紙の上に載せる必要があるため、料理の出来上がり写真のように、一部分も隠すことなく、写真全体を見せたい場合には、使用することはできない。
また、画鋲やマグネットは、板やドアの表面から脱落のおそれがある。台所や厨房等のように衛生に厳しい所や、学校や幼稚園等の安全性を優先する所では、このような脱落が生じる可能性があるものを使用することは、好ましくない。
特に、画鋲では、孔を用紙等に開けてしまう。孔を開けたくない用紙等を短時間に何回も付け替えたい場合には、画鋲を使用することはできない。
【０００５】
この考案は、上述した課題を解決するためになされたもので、一部分も隠すことなく、貼付物全体を見せることができ、また、脱落のおそれもなく、しかも、貼付物を非破壊で固定することができるクリップボードを提供することを目的とする。
【課題を解決するための手段】
【０００６】
上記課題を解決するために、請求項１の考案に係るクリップボードは、第１の誘電体シートと、第１の誘電体シートの表面に形成された１対の吸着電極と、１対の吸着電極を覆った状態で、第１の誘電体シートの表面に貼り付けられた第２の誘電体シートとを備え、１対の吸着電極に所定の直流電圧を印加することで、静電気を第２の誘電体シートの表面に誘起可能である構成とした。
かかる構成により、所定の直流電圧を、１対の吸着電極に印加すると、静電気が第２の誘電体シートの表面に誘起される。この結果、メモ用紙等の貼付物を第２の誘電体シートの表面に近接させると、貼付物に逆極の静電気が発生し、貼付物が、その静電気力によって第２の誘電体シートの表面に吸着される。
つまり、この考案のクリップボードによれば、貼付物を、画鋲やマグネット等を用いずに、貼付部に貼り付けることができるので、ユーザは、貼付物の全体を見ることができると共に、画鋲やマグネット等の脱落を心配することはない。さらに、貼付物が、静電気力によって第２の誘電体シート表面に吸着されるので、画鋲と異なり、孔を貼付物に開けてしまうおそれものない。この結果、貼付物を、短時間に多数回、貼り付けたり、剥がしたりすることができる。
【０００７】
請求項２の考案は、請求項１に記載のクリップボードにおいて、第１の誘電体シートの裏面の少なくとも一部に、マグネットを取り付けた構成とする。
かかる構成により、クリップボードのマグネットを、冷蔵庫や壁の磁性体部分に接触させることで、クリップボードを冷蔵庫や壁の磁性体部分に固定することができる。
【０００８】
請求項３の考案は、請求項１又は請求項２に記載のクリップボードにおいて、第２の誘電体シートをマーカで書き込み可能なプラスチックフィルムで形成すると共に、その表面をハードコーティングすることにより、ホワイトボード部を形成した構成とする。
かかる構成により、マーカによってホワイトボード部に文字や絵等を書き込むことができる。
【０００９】
請求項４の考案は、請求項１又は請求項２に記載のクリップボードにおいて、第２の誘電体シートの表面に、チョークで書き込み可能な黒板塗料を塗布することにより、黒板部を形成した構成とする。
かかる構成により、チョークによって黒板部に文字や絵等を書き込むことができる。
【００１０】
請求項５の考案は、請求項１又は請求項２に記載のクリップボードにおいて、第２の誘電体シートの表面に、チョークで書き込み可能な微細な凹凸を多数形成することにより、黒板部を形成した構成とする。
【００１１】
請求項６の考案は、請求項５に記載のクリップボードにおいて、マイクロファイバによって形成した黒板消しを設けた構成とする。
【考案の効果】
【００１２】
以上詳しく説明したように、この考案のクリップボードによれば、貼付物をクリップボードの表面に静電吸着することができるので、一部分も隠すことなく、貼付物全体を見せることができる、という優れた効果ある。また、脱落のおそれがあるものを用いることなく、貼り付け作業を行うことができるので、台所や厨房等のように衛生に厳しい所や、学校や幼稚園等の安全性を優先する所においても、安心して使用することができる。さらに、貼付物を、破壊させることなく、短時間に多数回、貼り付けたり、剥がしたりすることができる。
特に、請求項２の考案によれば、クリップボード全体を冷蔵庫等に固定することができる。
また、請求項３〜請求項７の考案によれば、文字や絵等によるメモをクリップボードの表面に書き込むことができる。
【図面の簡単な説明】
【００１３】
【図１】この考案の第１実施例に係るクリップボードの分解斜視図である。
【図２】クリップボードの斜視図である。
【図３】クリップボードの断面図である。
【図４】クリップボードの貼付機能を示す断面図である。
【図５】クリップボードのホワイトボード機能を示す断面図である。
【図６】使用例を示す斜視図である。
【図７】この考案の第２実施例に係るクリップボードの断面図である。
【図８】この考案の第３実施例に係るクリップボードの断面図である。
【図９】黒板消しを示す部分拡大概略断面図である。
【考案を実施するための形態】
【００１４】
以下、この考案の最良の形態について図面を参照して説明する。
【００１５】
（実施例１）
図１は、この考案の第１実施例に係るクリップボードの分解斜視図であり、図２は、クリップボードの斜視図であり、図３はクリップボードの断面図である。
【００１６】
図１に示すように、この実施例のクリップボード１−１は、第１の誘電体シート２と１対の吸着電極３Ａ，３Ｂと第２の誘電体シート４とを備えている。
【００１７】
第１の誘電体シート２は、ＰＶＣ（ポリ塩化ビニル樹脂）、ＡＢＳ（アクリロニトリル・ブタジエン・スチレン樹脂）、ＰＥＴ（ポリエチレンテレフタレート樹脂）、ＰＥ（ポリエチレン樹脂）等で形成可能なシート状部材である。この実施例では、第１の誘電体シート２を、ＰＶＣ（ポリ塩化ビニル樹脂）で形成した。
このような第１の誘電体シート２の裏面２ｂには、マグネットシート５が取り付けられている。
第１の誘電体シート２よりも小さなマグネットシート５を複数、第１の誘電体シート２の裏面２ｂの一部に取り付けても良いが、この実施例では、図２及び図３に示すように、マグネットシート５の大きさを第１の誘電体シート２と同じ大きさに設定して、１枚のマグネットシート５を第１の誘電体シート２の裏面２ｂ全面に取り付けた。
【００１８】
１対の吸着電極３Ａ，３Ｂは、図１に示すように、それぞれ櫛歯状に形成され、互いに噛み合うように、対向配置されている。図２及び図３に示すように、これら吸着電極３Ａ，３Ｂは、第１の誘電体シート２の表面２ａ上に、横並びに形成されている。
吸着電極３Ａ，３Ｂは、スクリーン印刷法やスパッタリング法等で形成可能である。
スクリーン印刷法は、カーボンインクをスキージとマスクとを用いて第１の誘電体シート２上にスクリーン印刷して硬化させる方法であり、スパッタリング法は、銅等の金属をエッチングやスパッタリングすることで、吸着電極３Ａ，３Ｂを第１の誘電体シート２上に形成する方法である。この実施例では、スクリーン印刷法を用いて、吸着電極３Ａ，３Ｂを第１の誘電体シート２上に形成した。
【００１９】
吸着電極３Ａ，３Ｂには、直流電圧発生用の電源３０が接続されている。
具体的には、電源３０の正極端子が、配線３０ａ，スイッチ３１を介して吸着電極３Ａに接続され、電源３０の負極端子が、配線３０ｂを介して吸着電極３Ｂに接続されている。
電源３０の直流電圧としては、電池からの直流電圧、太陽電池からの直流電圧、又は、交流電源をＡＣ／ＤＣコンバータで変換して得た直流電圧のいずれでも用いることができる。この実施例では、電源３０として電池を用いた。なお、図示しないが、昇圧回路をスイッチ３１と吸着電極３Ａとの間の配線３０ａ上に向けて、高電圧を吸着電極３Ａ，３Ｂに印加するようにしても良い。
【００２０】
第２の誘電体シート４は、上記吸着電極３Ａ，３Ｂを覆った状態で、第１の誘電体シート２の表面２ａ上に貼り付けられている。
第２の誘電体シート４は、ＰＶＣ、ＰＥＴ、ＰＩ（ポリイミド樹脂）等で形成可能なシート状部材である。この実施例では、第２の誘電体シート４を、ＰＶＣで形成した。
【００２１】
さらに、この実施例のクリップボード１−１には、ホワイトボード部６が形成されている。
具体的には、ＰＶＣを素材とする第２の誘電体シート４の表面４ａを、アクリルウレタン樹脂の透明なハードコート層４０によってハードコーティングすることにより、ホワイトボード部６を形成した。
【００２２】
次に、この実施例のクリップボード１−１が示す作用及び効果について説明する。
図４は、クリップボード１−１の貼付機能を示す断面図であり、図５は、クリップボード１−１のホワイトボード機能を示す断面図である。
図４に示すように、電源３０のスイッチ３１をオンにすると、所定の直流電圧が吸着電極３Ａ，３Ｂに印加される。
かかる状態で、貼付物としてのメモ用紙Ｐをクリップボード１−１の表面側に近接させると、例えば、「＋」の電荷が吸着電極３Ａ上のハードコート層４０の表面に誘起され、「−」の電荷が吸着電極３Ｂ上のハードコート層４０の表面に誘起される。これに対応して、メモ用紙Ｐの裏面であって吸着電極３Ａに対向する部位には、逆極「−」の電荷が誘起され、吸着電極３Ｂに対向する部位には、逆極「＋」の電荷が誘起される。
この結果、ハードコート層４０側の電荷とメモ用紙Ｐ側の逆極の電荷とが、静電気力で引き合い、メモ用紙Ｐが、ハードコート層４０の表面に吸着される。
つまり、この実施例のクリップボード１−１によれば、メモ用紙Ｐ等の貼付物を、画鋲やマグネット等を用いずに、貼り付けることができる。
この結果、ユーザは、メモ用紙Ｐ等の貼付物全体を見ることができると共に、画鋲やマグネット等の脱落を心配することはない。さらに、メモ用紙Ｐ等の貼付物が、静電気力によってクリップボード１−１表面に吸着されるので、画鋲と異なり、孔をメモ用紙Ｐ等の貼付物に開けてしまうおそれものない。
【００２３】
そして、図５に示すように、マーカＭの先端部を、ホワイトボード部６の表面、即ちハードコート層４０の表面４０ａに接触させながら、マーカＭを動かすことで、ハードコート層４０の表面に文字や絵等を書き込むことができる。
【００２４】
次に、この実施例のクリップボード１−１の使用例について説明する。
図６は、使用例を示す斜視図である。
図６に示すように、クリップボード１−１のマグネットシート５側（図１及び図２参照）を冷蔵庫１００側に向けて、クリップボード１−１を冷蔵庫１００のドア１０１に接触させると、マグネットシート５の磁力によって、クリップボード１−１が冷蔵庫１００のドア１０１に固定される。
かかる状態で、レシピのメモ用紙Ｐをクリップボード１−１の表面に貼ったり、マーカＭでクリップボード１−１の表面に必要な具材を示す文字等を記載することで、調理作業を効率的に行うことができる。
【００２５】
（実施例２）
図７は、この考案の第２実施例に係るクリップボードの断面図である。
図７に示すように、この実施例のクリップボード１−２は、ホワイトボード部６の代わりに、黒板部７を有している点が、上記第１実施例と異なる。
【００２６】
具体的には黒板塗料をこの第２の誘電体シート４の表面に所定厚さ塗布することで、黒板部７を形成した。黒板塗料としては、アルキド樹脂等の塗料を用いることができる。
【００２７】
かかる構成により、チョークＴの先端部を、黒板部７の表面７０ａに接触させながら、チョークＴを動かすことで、黒板部７の表面に文字や絵等を書き込むことができる。
【００２８】
その他の構成，作用及び効果は、上記第１実施例と同様であるので、その記載は省略する。
【００２９】
（実施例３）
図８は、この考案の第３実施例に係るクリップボードの断面図であり、図９は、黒板消しを示す部分拡大概略断面図である。
図８に示すように、この実施例のクリップボード１−３は、第２実施例の黒板部７とは異なる構造の黒板部７’を有している点が、上記第２実施例と異なる。
【００３０】
具体的には、第２の誘電体シート４の表面を梨地仕上げにすることにより、第２の誘電体シート４の表面に多数の凹凸を有した粗面４１を形成した。これにより、粗面４１を有した第２の誘電体シート４によって、黒板部７’を形成した。
【００３１】
かかる構成により、チョークＴの先端部を、黒板部７’の粗面４１に接触させながら、チョークＴを動かすことで、チョークＴの先端部が粗面４１によって削り取られ、黒板部７の表面に文字や絵等が書き込まれる。
【００３２】
ところで、このような黒板部７’では、チョークＴの粉が粗面４１内に入り込むため、通常の黒板消しでは、書き込まれた文字や絵等を消すことが困難である。
このため、この実施例では、専用の黒板消し８を提供することとした。
具体的には、図９に示すように、多数のマイクロファイバ８０を圧し固めることにより、黒板消し８を形成した。
この黒板消し８を書き込まれた文字や絵等の上で擦ることにより、粗面４１内に入り込んだチョークＴの粉が拭き取られ、文字や絵等を消すことができる。
【００３３】
その他の構成，作用及び効果は、上記第２実施例と同様であるので、その記載は省略する。
【００３４】
なお、この考案は、上記実施例に限定されるものではなく、考案の要旨の範囲内において種々の変形や変更が可能である。  
例えば、上記実施例では、マグネットシート５を有したクリップボード１−１〜１−３を、例示したが、マグネットシート５を有しないクリップボードも、この考案の範囲に含まれることは勿論である。
また、第１の誘電体シート２と吸着電極３Ａ，３Ｂと第２の誘電体シート４とでのみ構成されたクリップボードも、この考案の範囲に含まれる。
上記実施例では、１対の吸着電極として、櫛歯状の吸着電極３Ａ，３Ｂを例示したが、これに限定されることなく、格子状の電極などもは、１対の吸着電極として適用することができる。
上記実施例では、貼付対象物として、冷蔵庫１００を例示したが、磁石で吸着することができる箇所であれば、どこでも、貼付対象物として適用することができる。
【符号の説明】
【００３５】
１−１〜１−３…クリップボード、  ２…第１の誘電体シート、  ２ａ，４ａ，４０ａ…表面、  ２ｂ…裏面、  ３Ａ，３Ｂ…吸着電極、  ４…第２の誘電体シート、  ５…マグネットシート、  ６…ホワイトボード部、  ７，７’…黒板部、  ８…黒板消し、  ３０…電源、  ３０ａ，３０ｂ…配線、  ３１…スイッチ、  ４０…ハードコート層、  ４１…粗面、  ８０…マイクロファイバ、  １００…冷蔵庫、  １０１…ドア、  Ｍ…マーカ、  Ｐ…メモ用紙、  Ｔ…チョーク。
【図１】
0003212495.tif 000003
【図２】
0003212495.tif 000004
【図３】
0003212495.tif 000005
【図４】
0003212495.tif 000006
【図５】
0003212495.tif 000007
【図６】
0003212495.tif 000008
【図７】
0003212495.tif 000009
【図８】
0003212495.tif 000010
【図９】
0003212495.tif 000011